(57)【要約】      （修正有）【課題】用途等に応じて多彩な点灯パターンを表現することができる簡易且つ安価な構造の車両用表示灯を提供する。【解決手段】車両の屋根上に設置される車両用表示灯１であって、透光性を有する表示カバー２と、表示カバーの内部空間を複数の仕切空間Ｓ１、Ｓ３、Ｓ４、Ｓ５に仕切る仕切手段３と、複数の仕切空間のそれぞれに設けられる発光ユニット４ａ，４ｂと、を備える。表示カバーは、車両用表示灯を車両の屋根上に設置した状態で、車両の幅方向に延びる横表示部と、横表示部の中央側から車両の前後方向に向かって延びる縦表示部と、を有することが好ましい。【選択図】図３
0003163465.tif 000002
【実用新案登録請求の範囲】
【請求項１】
車両の屋根上に設置される車両用表示灯であって、
透光性を有する表示カバーと、
前記表示カバーの内部空間を複数の仕切空間に仕切る仕切手段と、
前記複数の仕切空間のそれぞれに設けられる光源と、を備えることを特徴とする車両用表示灯。
【請求項２】
前記表示カバーは、前記車両用表示灯を前記車両の屋根上に設置した状態で、該車両の幅方向に延びる横表示部と、該横表示部の中央側から該車両の前後方向に向かって延びる縦表示部と、を有する請求項１記載の車両用表示灯。
【請求項３】
前記横表示部の長手方向の各先端側及び前記縦表示部の長手方向の先端側のそれぞれは、先端に向かって先細りとなり且つ曲面からなる錐体状に形成されている請求項２記載の車両用表示灯。
【請求項４】
前記仕切手段は、前記横表示部の内部空間を平面方向に仕切って該横表示部の長手方向の各先端側に第１仕切空間（Ｓ１）及び第２仕切空間（Ｓ２）のそれぞれを形成する第１仕切板及び第２仕切板と、前記縦表示部の内部空間を平面方向に仕切って該縦表示部の長手方向の先端側に第３仕切空間（Ｓ３）を形成する第３仕切板と、該第１仕切板、該第２仕切板及び該第３仕切板で囲まれた空間を上下方向に仕切って下側の第４仕切空間（Ｓ４）及び上側の第５仕切空間（Ｓ５）を形成する第４仕切板と、を有する請求項２又は３に記載の車両用表示灯。
【請求項５】
前記第１仕切空間（Ｓ１）及び第２仕切空間（Ｓ２）に配置される前記光源は、車両の方向指示器に連動して発光される請求項４記載の車両用表示灯。
【請求項６】
前記車両の屋根上に取り付け可能であり且つ前記表示カバーを支持するベース部材を更に備え、該ベース部材の上面側には前記光源が着脱自在に取り付けられている請求項１乃至５のいずれか一項に記載の車両用表示灯。
【請求項７】
前記ベース部材の上面側には前記仕切手段が着脱自在に取り付けられている請求項６記載の車両用表示灯。
【請求項８】
前記ベース部材の上面側には、前記光源に接続される配線を収納する収納溝部が形成されている請求項６又は７に記載の車両用表示灯。
【請求項９】
前記光源は発光ダイオードである請求項１乃至８のいずれか一項に記載の車両用表示灯。
【請求項１０】
前記車両はタクシー又は自動車教習所の教習車である請求項１乃至９のいずれか一項に記載の車両用表示灯。
【請求項１１】
前記表示カバーは、前記車両用表示灯を前記車両の屋根上に設置した状態で、該車両の幅方向に延びる横表示部と、該横表示部の中央側から該車両の前後方向に向かって延びる縦表示部と、を有し、該表示カバーの平面形状は略Ｔ字状に形成されており、
前記横表示部の長手方向の各先端側及び前記縦表示部の長手方向の先端側のそれぞれは、先端に向かって先細りとなり且つ曲面からなる錐体状に形成されており、
前記仕切手段は、前記横表示部の内部空間を平面方向に仕切って該横表示部の長手方向の各先端側に第１仕切空間（Ｓ１）及び第２仕切空間（Ｓ２）のそれぞれを形成する第１仕切板及び第２仕切板と、前記縦表示部の内部空間を平面方向に仕切って該縦表示部の長手方向の先端側に第３仕切空間（Ｓ３）を形成する第３仕切板と、該第１仕切板、該第２仕切板及び該第３仕切板で囲まれた空間を上下方向に仕切って下側の第４仕切空間（Ｓ４）及び上側の第５仕切空間（Ｓ５）を形成する第４仕切板と、を有し、
前記第１仕切空間（Ｓ１）及び第２仕切空間（Ｓ２）のそれぞれに配置される前記光源は、車両の方向指示器に連動して発光され、
前記車両の屋根上に取り付け可能であり且つ前記表示カバーを支持するベース部材を更に備え、該ベース部材の上面側には、前記第１仕切空間（Ｓ１）、第２仕切空間（Ｓ２）、第３仕切空間（Ｓ３）及び第４仕切空間（Ｓ４）のそれぞれに配置される前記光源が着脱自在に取り付けられ、前記第４仕切板の上面側には、前記第５仕切空間（Ｓ５）に配置される前記光源が着脱自在に取り付けられており、
前記ベース部材の上面側には前記仕切手段が着脱自在に取り付けられており、
前記ベース部材の上面側には、前記光源に接続される配線を収納する収納溝部が形成されており、
前記光源は発光ダイオードであり、
前記車両はタクシー又は自動車教習所の教習車である請求項１記載の車両用表示灯。
【考案の詳細な説明】
【技術分野】
【０００１】
本考案は、車両用表示灯に関し、さらに詳しくは、用途等に応じて多彩な点灯パターンを表現することができる簡易且つ安価な構造の車両用表示灯に関する。
【背景技術】
【０００２】
従来より、車両用表示灯として、タクシー等の車両の屋根上に設置されるものが一般に知られている（例えば、特許文献１及び２参照）。この特許文献１及び２には、表示カバーの内部空間内に光源を設けてなる車両用表示灯が開示されている。
【先行技術文献】
【特許文献】
【０００３】
【特許文献１】特開２００１−１８４００７号公報
【特許文献２】特開２００７−１１４３６６号公報
【考案の概要】
【考案が解決しようとする課題】
【０００４】
しかし、上記特許文献１及び２の技術では、表示カバーの１つの内部空間に１つの光源を設けているので、用途等に応じて多様な点灯パターンを表現できなかった。なお、多様な点灯パターンを表現し得る多機能型回転灯も一般に知られているが、複雑且つ高価な構造である。
【０００５】
また、上記特許文献１及び２の技術では、表示カバーは車両の幅方向に延びて平面形状が略長方形状に形成されているので、デザイン性に乏しい。また、表示カバーの表示内容（例えば、タクシーの空車表示等）の車両の側方及び後斜め側方からの視認性が悪いものであった。
【０００６】
本考案は、上記現状に鑑みてなされたものであり、用途等に応じて多彩な点灯パターンを表現することができる簡易且つ安価な構造の車両用表示灯を提供することを目的とする。また、本考案は、上記目的に加えて、デザイン性及び表示内容の視認性に優れた車両用表示灯を提供することを他の目的とする。
【課題を解決するための手段】
【０００７】
本考案は、以下の通りである。
１．車両の屋根上に設置される車両用表示灯であって、
透光性を有する表示カバーと、
前記表示カバーの内部空間を複数の仕切空間に仕切る仕切手段と、
前記複数の仕切空間のそれぞれに設けられる光源と、を備えることを特徴とする車両用表示灯。
２．前記表示カバーは、前記車両用表示灯を前記車両の屋根上に設置した状態で、該車両の幅方向に延びる横表示部と、該横表示部の中央側から該車両の前後方向に向かって延びる縦表示部と、を有する上記１．記載の車両用表示灯。
３．前記横表示部の長手方向の各先端側及び前記縦表示部の長手方向の先端側のそれぞれは、先端に向かって先細りとなり且つ曲面からなる錐体状に形成されている上記２．記載の車両用表示灯。
４．前記仕切手段は、前記横表示部の内部空間を平面方向に仕切って該横表示部の長手方向の各先端側に第１仕切空間（Ｓ１）及び第２仕切空間（Ｓ２）のそれぞれを形成する第１仕切板及び第２仕切板と、前記縦表示部の内部空間を平面方向に仕切って該縦表示部の長手方向の先端側に第３仕切空間（Ｓ３）を形成する第３仕切板と、該第１仕切板、該第２仕切板及び該第３仕切板で囲まれた空間を上下方向に仕切って下側の第４仕切空間（Ｓ４）及び上側の第５仕切空間（Ｓ５）を形成する第４仕切板と、を有する上記２．又は３．に記載の車両用表示灯。
５．前記第１仕切空間（Ｓ１）及び第２仕切空間（Ｓ２）に配置される前記光源は、車両の方向指示器に連動して発光される上記４．記載の車両用表示灯。
６．前記車両の屋根上に取り付け可能であり且つ前記表示カバーを支持するベース部材を更に備え、該ベース部材の上面側には前記光源が着脱自在に取り付けられている上記１．乃至５．のいずれか一項に記載の車両用表示灯。
７．前記ベース部材の上面側には前記仕切手段が着脱自在に取り付けられている上記６．記載の車両用表示灯。
８．前記ベース部材の上面側には、前記光源に接続される配線を収納する収納溝部が形成されている上記６．又は７．に記載の車両用表示灯。
９．前記光源は発光ダイオードである上記１．乃至８．のいずれか一項に記載の車両用表示灯。
１０．前記車両はタクシー又は自動車教習所の教習車である上記１．乃至９．のいずれか一項に記載の車両用表示灯。
１１．前記表示カバーは、前記車両用表示灯を前記車両の屋根上に設置した状態で、該車両の幅方向に延びる横表示部と、該横表示部の中央側から該車両の前後方向に向かって延びる縦表示部と、を有し、該表示カバーの平面形状は略Ｔ字状に形成されており、
前記横表示部の長手方向の各先端側及び前記縦表示部の長手方向の先端側のそれぞれは、先端に向かって先細りとなり且つ曲面からなる錐体状に形成されており、
前記仕切手段は、前記横表示部の内部空間を平面方向に仕切って該横表示部の長手方向の各先端側に第１仕切空間（Ｓ１）及び第２仕切空間（Ｓ２）のそれぞれを形成する第１仕切板及び第２仕切板と、前記縦表示部の内部空間を平面方向に仕切って該縦表示部の長手方向の先端側に第３仕切空間（Ｓ３）を形成する第３仕切板と、該第１仕切板、該第２仕切板及び該第３仕切板で囲まれた空間を上下方向に仕切って下側の第４仕切空間（Ｓ４）及び上側の第５仕切空間（Ｓ５）を形成する第４仕切板と、を有し、
前記第１仕切空間（Ｓ１）及び第２仕切空間（Ｓ２）のそれぞれに配置される前記光源は、車両の方向指示器に連動して発光され、
前記車両の屋根上に取り付け可能であり且つ前記表示カバーを支持するベース部材を更に備え、該ベース部材の上面側には、前記第１仕切空間（Ｓ１）、第２仕切空間（Ｓ２）、第３仕切空間（Ｓ３）及び第４仕切空間（Ｓ４）のそれぞれに配置される前記光源が着脱自在に取り付けられ、前記第４仕切板の上面側には、前記第５仕切空間（Ｓ５）に配置される前記光源が着脱自在に取り付けられており、
前記ベース部材の上面側には前記仕切手段が着脱自在に取り付けられており、
前記ベース部材の上面側には、前記光源に接続される配線を収納する収納溝部が形成されており、
前記光源は発光ダイオードであり、
前記車両はタクシー又は自動車教習所の教習車である上記１．記載の車両用表示灯。
【考案の効果】
【０００８】
本考案の車両用表示灯によると、仕切手段により表示カバーの内部空間を複数の仕切空間に仕切り、これら複数の仕切空間のそれぞれに光源を設けるようにしたので、複数の仕切空間での各光源の発光量、発光色、発光タイミング等を変更することによって、用途等に応じて多彩な点灯パターンを表現することができる。また、従来のような多機能型回転灯に比べて、簡易且つ安価な構造とすることができる。
【０００９】
また、前記表示カバーが、横表示部と、縦表示部と、を有する場合は、表示カバーのデザイン性を高めることができる。また、車両外部の人に対して、横表示部の表示内容を車両の前方又は後方から視認させ易く、縦表示部の表示内容を車両の側方及び後斜め側方から視認させ易くできる。そのため、表示カバーの表示内容の視認性を高めることができる。
【００１０】
また、前記横表示部の各先端側及び前記縦表示部の先端側のそれぞれが、先端に向かって先細りとなり且つ曲面からなる錐体状に形成されている場合は、表示カバーのデザイン性を更に高め得るとともに、表示カバーの空気抵抗を軽減して空力性能を高めることができる。
【００１１】
また、前記仕切手段が、第１〜第４仕切板を有する場合は、第１及び第２仕切板により横表示部の各先端側に第１及び第２仕切空間（Ｓ１，Ｓ２）が形成され、第３仕切板により縦表示部の先端側に第３仕切空間（Ｓ３）が形成され、第４仕切板により、第１〜第３仕切板で囲まれた空間に第４及び第５仕切空間（Ｓ４，Ｓ５）が形成される。これにより、各仕切空間（Ｓ１〜Ｓ５）のそれぞれに設けられる各光源の発光量、発光色、発光タイミング等を変更することによって、用途等に応じて更に多彩な点灯パターンを表現することができる。
【００１２】
また、前記第１仕切空間（Ｓ１）及び第２仕切空間（Ｓ２）に配置される前記光源が車両の方向指示器に連動して発光される場合は、車両外部の人に対して車両の進行方向をより確実に認識させることができる。
【００１３】
また、ベース部材を更に備え、該ベース部材の上面側に前記光源が着脱自在に取り付けられている場合は、ベース部材に対する光源の取付位置や光源自体を容易に変更することができる。そのため、用途等に応じて更に多彩な点灯パターンを表現することができる。
【００１４】
また、前記ベース部材の上面側に前記仕切手段が着脱自在に取り付けられている場合は、ベース部材に対する仕切手段の取付位置や仕切手段自体を容易に変更することができる。そのため、用途等に応じて更に多彩な点灯パターンを表現することができる。
【００１５】
また、前記ベース部材の上面側に収納溝部が形成されている場合は、光源に接続される配線を収納溝部内に収納することができる。また、収納溝部が凹状の補強リブとして機能するため、ベース部材の剛性を高めることができる。
【００１６】
また、前記光源が発光ダイオードである場合は、消費電力を抑えて車両のバッテリー等への負荷を軽減することができる。さらに、鮮やかな発光と高い視認性を確保することができる。
【００１７】
さらに、前記車両がタクシー又は自動車教習所の教習車である場合は、タクシー又は教習車用として好適な表示灯とすることができる。
【図面の簡単な説明】
【００１８】
本考案について、本考案による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るタクシー用表示灯を備えるタクシーの斜視図である。
【図２】上記タクシー用表示灯の斜視図である。
【図３】上記タクシー用表示灯の表示カバーの一部を破断した斜視図である。
【図４】上記タクシー用表示灯の平面図である。
【図５】図４のＶ矢視図である。
【図６】図４のＶＩ−ＶＩ線断面図である。
【図７】上記タクシー用表示灯の表示カバーを取り外した状態の平面図である。
【図８】上記タクシー用表示灯のベース部材の斜視図である。
【図９】実施例に係る発光ユニットの縦断面図であり、（ａ）は仕切空間Ｓ１〜Ｓ４に設けられる発光ユニットを示し、（ｂ）は仕切空間Ｓ５に設けられる発光ユニットを示す。
【図１０】その他の形態の車両用表示灯を説明するための説明図である。
【考案を実施するための形態】
【００１９】
ここで示される事項は例示的なものおよび本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【実施例】
【００２０】
以下、図面を用いて実施例により本考案を具体的に説明する。なお、本実施例では、本考案に係る「車両用表示灯」として、タクシーの屋根上に設置されるタクシー用表示灯を例示する。
【００２１】
（１）タクシー用表示灯の構成
本実施例に係るタクシー用表示灯１は、図１〜図３に示すように、透光性を有する樹脂製の表示カバー２と、この表示カバー２の内部空間を複数の仕切空間Ｓ１〜Ｓ５に仕切る仕切手段３と、これら複数の仕切空間Ｓ１〜Ｓ５のそれぞれに設けられる発光ユニット４ａ，４ｂと、タクシー５の屋根上に取り付け可能で且つ表示カバー２を支持するベース部材６と、を備えている。
【００２２】
上記表示カバー２は、図４及び図５に示すように、タクシー用表示灯１をタクシー５の屋根上に設置した状態（図１参照）で、タクシー５の幅方向に延びる横表示部８と、この横表示部８の中央側からタクシー５の前後方向の後方に向かって延びる縦表示部９と、を有しており、全体として平面形状が略Ｔ字状に形成されている。この横表示部８の長手方向の各先端側８ａ，８ａ及び縦表示部９の長手方向の先端側９ａのそれぞれは、先端に向かって先細りとなり且つ曲面からなる錐体状に形成されている。
【００２３】
上記仕切手段３は、図６及び図７に示すように、第１仕切板１１、第２仕切板１２、第３仕切板１３及び第４仕切板１４を有している。これら第１及び第２仕切板１１，１２は、横表示部８の内部空間を平面方向に仕切って横表示部８の各先端側８ａ，８ａに第１仕切空間Ｓ１及び第２仕切空間Ｓ２を形成している。また、第３仕切板１３は、縦表示部９の内部空間を平面方向に仕切って縦表示部９の先端側９ａに第３仕切空間Ｓ３を形成している。さらに、第４仕切板１４は、第１〜第３仕切板１１〜１３で囲まれる空間を上下方向に仕切って下側の第４仕切空間Ｓ４及び上側の第５仕切空間Ｓ５を形成している。
【００２４】
上記第１〜第３仕切板１１〜１３の下端側の曲折部１１ａ〜１３ａはネジ等を介してベース部材６の上面側に着脱自在に取付けられている。また、上記第４仕切板１４には複数（図７中３つ）の脚片１５が取り付けられ、これら脚片１５の下端側がネジ等を介してベース部材６の上面側に着脱自在に取り付けられている。
【００２５】
上記ベース部材６は、図８に示すように、表示カバー２の平面形状と略一致する略Ｔ字状の平面形状を有している。このベース部材６の周縁側には取付片１７が立ち上げられている。この取付片１７には表示カバー２の下端縁が接着材等により固着されている。また、ベース部材６の上面側には、発光ユニット４ａ，４ｂに接続される配線（図示省略）を収納する収納溝部１８が形成されている。この収納溝部１８は、縦断面凹状とされており補強リブとしての機能を発揮する。さらに、ベース部材６の裏面側には、タクシー５の屋根上に吸着可能な複数の吸盤部１９（図５参照）が設けられている。
【００２６】
上記発光ユニット４ａは、図９（ａ）に示すように、複数の発光ダイオード２０ａ（本発明に係る「光源」として例示する。）を搭載してなる基材２１ａに透光性を有する円錐状のレンズ２２ａを被せて構成されている。また、上記発光ユニット４ｂは、図９（ｂ）に示すように、複数の発光ダイオード２０ｂ（本発明に係る「光源」として例示する。）を搭載してなる基材２１ｂに透光性を有する箱状のレンズ２２ｂを被せて構成されている。
【００２７】
ここで、図３及び図７に示すように、上記発光ユニット４ａは、上記第１〜第４仕切空間Ｓ１〜Ｓ４内に配置されている。これら各発光ユニット４ａは、ベース部材６の上面側にネジ等を介して着脱自在に取付けられている。また、上記発光ユニット４ｂは、上記第５仕切空間Ｓ５内に配置されている。この発光ユニット４ｂは、第４仕切板１４の上面側にネジ等を介して着脱自在に取付けられている。
【００２８】
（２）タクシー用表示灯の作用
次に、上記構成のタクシー用表示灯１の作用について説明する。上記第１及び第２仕切空間Ｓ１，Ｓ２内に配置される発光ユニット４ａは、タクシー５の方向指示器（図示省略）と連動してアンバー色で発光される。また、第３仕切空間Ｓ３内に配置される発光ユニット４ａは、表示カバー２の第３仕切空間Ｓ３に対応する位置に形成された表示内容（例えば、「禁煙」等）を表示するように黄色で発光される。また、第４仕切空間Ｓ４内に配置される発光ユニット４ａは、表示カバー２の第４仕切空間Ｓ４に対応する位置に形成された表示内容（例えば、「ＴＡＸＩ」等）を表示するように白色で発光される。また、第４仕切空間Ｓ４内に配置される発光ユニット４ａ’は、タクシー強盗等の緊急状態を報知するために赤色で発光される。さらに、第５仕切空間Ｓ５内に配置される発光ユニット４ｂは、表示カバー２の第５仕切空間Ｓ５に対応する位置に形成された表示内容（例えば、「空車」等）を表示するように青色で発光される。
【００２９】
（３）実施例の効果
本実施例のタクシー用表示灯１によると、仕切手段３により表示カバー２の内部空間を複数の仕切空間Ｓ１〜Ｓ５に仕切り、これら複数の仕切空間Ｓ１〜Ｓ５のそれぞれに発光ユニット４ａ，４ｂを設けるようにしたので、複数の仕切空間Ｓ１〜Ｓ５での各発光ユニット４ａ，４ｂの発光量、発光色、発光タイミング等を変更することによって、用途等に応じて多彩な点灯パターンを表現することができる。また、従来のような多機能型回転灯に比べて、簡易且つ安価な構造とすることができる。
【００３０】
また、本実施例では、表示カバー２を、横表示部８と、縦表示部９と、を有し、その平面形状を略Ｔ字状に形成したので、表示カバー２のデザイン性を高めることができる。また、タクシー５の乗客に対して、横表示部８の表示内容をタクシー５の前方から視認させ易く、縦表示部９の表示内容をタクシー５の側方及び後斜め側方から視認させ易くできる。そのため、表示カバー２の表示内容の視認性を高めることができる。
【００３１】
また、本実施例では、横表示部８の各先端側８ａ，８ａ及び縦表示部９の先端側９ａのそれぞれを、先端に向かって先細りとなり且つ曲面からなる錐体状に形成したので、表示カバー２のデザイン性を更に高め得るとともに、表示カバー２の空気抵抗を軽減して空力性能を高めることができる。なお、従来一般的な表示カバーの外側面に鋭角なエッジを形成したものでは車両法に適応できないが、本実施例の表示カバー２では車両法に適応できる。
【００３２】
また、本実施例では、仕切手段３を、第１〜第４仕切板１１〜１４を有して構成したので、第１及び第２仕切板１１，１２により横表示部８の各先端側８ａ，８ｂに第１及び第２仕切空間Ｓ１，Ｓ２が形成され、第３仕切板１３により縦表示部９の先端側９ａに第３仕切空間Ｓ３が形成され、第４仕切板１４により、第１〜第３仕切板１１〜１３で囲まれた空間に第４及び第５仕切空間Ｓ４，Ｓ５が形成される。これにより、各仕切空間Ｓ１〜Ｓ５のそれぞれに設けられる各発光ユニット４ａ，４ｂの発光量、発光色、発光タイミング等を変更することによって、用途等に応じて更に多彩な点灯パターンを表現することができる。
【００３３】
また、本実施例では、第１及び第２仕切空間Ｓ１，Ｓ２に配置される発光ユニット４ａ，４ｂをタクシー５の方向指示器に連動して発光させるようにしたので、タクシー外部の人に対してタクシー５の進行方向をより確実に認識させることができる。
【００３４】
また、本実施例では、ベース部材６を更に備え、ベース部材６の上面側に各仕切空間Ｓ１〜Ｓ４のそれぞれに配置される発光ユニット４ａを着脱自在に取り付け、第４仕切板１４の上面側に第５仕切空間Ｓ５に配置される発光ユニット４ｂを着脱自在に取り付けたので、ベース部材６及び第４仕切板１４に対する発光ユニット４ａ，４ｂの取付位置や発光ユニット４ａ，４ｂ自体を容易に変更することができる。そのため、用途等に応じて更に多彩な点灯パターンを表現することができる。
【００３５】
また、本実施例では、ベース部材６の上面側に第１〜第４仕切板１１〜１４を着脱自在に取り付けたので、ベース部材６に対する仕切板１１〜１４の取付位置や仕切板１１〜１４自体を容易に変更することができる。そのため、用途等に応じて更に多彩な点灯パターンを表現することができる。
【００３６】
また、本実施例では、ベース部材６の上面側に収納溝部１８を形成したので、発光ユニット４ａ，４ｂに接続される配線を収納溝部１８内に収納することができる。また、収納溝部１８が凹状の補強リブとして機能するため、ベース部材６の剛性を高めることができる。
【００３７】
また、本実施例では、発光ユニット４ａ，４ｂの光源として発光ダイオード２０ａ，２０ｂを採用したので、消費電力を抑えて車両のバッテリー等への負荷を軽減することができる。さらに、鮮やかな発光と高い視認性を確保することができる。また、完全防水型の発光ダイオード２０ａ，２０ｂとすれば、ベース部材６と表示カバー２との密閉にとらわれず、所望の耐久性を確保できる。
【００３８】
さらに、本実施例のタクシー用表示灯１において、表示カバー２、仕切手段３、発光ユニット４ａ，４ｂ、ベース部材６等の全てのパーツを単品での購入可能とすれば、任意のポイントに発光ユニットを自由に設定できるので、表示灯の使用中であっても光量増減やカラー変更に容易に対応することができる。これにより、低コストで使用者の希望の使用を小ロット生産することができる。
【００３９】
尚、本考案においては、上記実施例に限られず、目的、用途に応じて本考案の範囲内で種々変更した実施例とすることができる。すなわち、上記実施例では、縦表示部９の自由端側９ａが車両の後方に向かって延びるように設置される車両用表示灯１を例示したが、これに限定されず、例えば、図１０に示すように、縦表示部９の自由端側９ａが車両の前方に向かって延びるように設置される車両用表示灯１’としてもよい。この場合、上記実施例の車両用表示灯１と略同様の作用・効果を奏することに加えて、車両外部の人に対して、横表示部８の表示内容を車両の後方から視認させ易くできる。そのため、例えば、自動車教習所の教習車用の表示灯として利用すれば、教習車の後続車両の運転者に対して表示カバーの表示内容の視認性を高めることができる。
【００４０】
また、上記実施例では、平面形状が略Ｔ字状の表示カバー２を例示したが、これに限定されず、例えば、平面形状が略十字状、略Ｍ字状、略Ｕ字状等の表示カバーとしてもよい。
【００４１】
また、上記実施例では、光源として発光ダイオード２０ａ，２０ｂを例示したが、これに限定されず、例えば、光源として、白熱電球等のバルブ、蛍光灯、エレクトロルミネセンスライト等を採用してもよい。
【００４２】
また、上記実施例では、表示カバー２の内部空間を５つの仕切空間Ｓ１〜Ｓ５に仕切る形態を例示したが、これに限定されず、例えば、６つ以上の仕切空間に仕切ったり、２〜４つの仕切空間に仕切ったりしてもよい。
【００４３】
また、上記実施例では、複数の仕切空間Ｓ１〜Ｓ５の全てに発光ユニット４ａ，４ｂを設ける形態を例示したが、これに限定されず、例えば、３つ以上の仕切空間がある場合に発光ユニットが設けられない少なくとも１つの仕切空間が存在していてもよい。
【００４４】
さらに、上記実施例では、ベース部材６の裏面側に、車両の屋根上に装着するための吸盤部１９を設ける形態を例示したが、これに限定されず、例えば、ベース部材の裏面側に、車両の屋根上に装着するための磁石部を設けるようにしてもよい。
【００４５】
前述の例は単に説明を目的とするものでしかなく、本考案を限定するものと解釈されるものではない。本考案を典型的な実施形態の例を挙げて説明したが、本考案の記述および図示において使用された文言は、限定的な文言ではなく説明的および例示的なものであると理解される。ここで詳述したように、その形態において本考案の範囲または精神から逸脱することなく、添付の特許請求の範囲内で変更が可能である。ここでは、本考案の詳述に特定の構造、材料および実施例を参照したが、本考案をここにおける開示事項に限定することを意図するものではなく、むしろ、本考案は添付の特許請求の範囲内における、機能的に同等の構造、方法、使用の全てに及ぶものとする。
【００４６】
本考案は上記で詳述した実施形態に限定されず、本考案の請求項に示した範囲で様々な変形または変更が可能である。
【産業上の利用可能性】
【００４７】
タクシー、自動車学校の教習車、緊急車両（例えば、警備会社、ガス会社、電気会社、水道会社等で使用される車両等）、危険車両誘導車、配達車両、工事関係車両、運転代行車両、広告宣伝車両等で用いられる車両用表示灯に関する技術として広く利用される。
【符号の説明】
【００４８】
１，１’；車両用表示灯、２；表示カバー、３；仕切手段、４ａ，４ｂ；発光ユニット、５；タクシー、８；横表示部、８ａ；先端側、９；縦表示部、９ａ；先端側、１１〜１４；第１〜第４仕切板、１８；収納溝部、２０ａ，２０ｂ；発光ダイオード、Ｓ１〜Ｓ５；第１〜第５仕切空間。
【図１】
0003163465.tif 000003
【図２】
0003163465.tif 000004
【図３】
0003163465.tif 000005
【図４】
0003163465.tif 000006
【図５】
0003163465.tif 000007
【図６】
0003163465.tif 000008
【図７】
0003163465.tif 000009
【図８】
0003163465.tif 000010
【図９】
0003163465.tif 000011
【図１０】
0003163465.tif 000012